(57)【要約】【課題】本発明は、汎用性のあるＩＣクレジットカードを使用した決済システムを構築することを目的とする。【解決手段】決済システム１００は、サービスを提供するサービス提供装置２００とサービスを要求する移動体通信装置３００とを備え、注文購入部１１３はサービスの注文を要求し、送信部Ｂ１１０はサービスの注文をサービス提供装置２００へ送信し、受信部Ａ２２０は、サービスの注文を受信し、セキュリティ処理部１０３とセキュリティ制御部２２３とは、有料道路自動料金収受システム（ＥＴＣ）の決済以外の決済処理に使用可能なＩＣクレジットカード１２を使用して提供されたサービスに対する決済の手続を連動して行う。【選択図】        図１
2004227055.tif 000002
【特許請求の範囲】
【請求項１】
移動体通信装置へサービスを提供するサービス提供装置であって、
前記移動体通信装置から要求されるサービスの注文を受信する受信部Ａと、
有料道路自動料金収受システム（ＥＴＣ）の決済以外の決済処理に使用可能な媒体を使用して前記受信部Ａが受信したサービスの注文に対する決済の手続を行うセキュリティ制御部とを有するサービス提供側通信部を備えるサービス提供装置。
【請求項２】
前記受信部Ａは、前記移動体通信装置によって前記媒体を使用して作成された決済の手続に必要な情報であって前記移動体通信装置によって暗号化されたデータを前記移動体通信装置から受信し、
前記セキュリティ制御部は、さらに、
前記受信部Ａが受信したデータを復号する復号部Ａと、
前記復号部Ａが復号したデータを確認する決済制御部と、
前記決済制御部が確認したデータを暗号化する暗号化部Ａとを有し、
前記サービス提供側通信部は、さらに、
前記暗号化部Ａが暗号化したデータを前記移動体通信装置に送信する送信部Ａを有する請求項１に記載されたサービス提供装置。
【請求項３】
前記サービス提供装置は、さらに、
前記受信部Ａが受信した注文に対するサービスを提供する注文処理部と、
前記注文処理部が提供するサービスに対する料金を計算する料金処理部とを有するサービス処理部を備える請求項１に記載されたサービス提供装置。
【請求項４】
前記サービス処理部は、さらに、
前記注文処理部がサービスを提供するのに際し、提供するサービスの内容を前記移動体通信装置に確認させることによってサービスの注文に対する進捗を管理する進捗管理部を有する請求項３に記載されたサービス提供装置。
【請求項５】
前記セキュリティ制御部は、さらに、
サービスを注文した注文者を認証する注文者の認証処理が前記移動体通信装置によって開始されるのに対応して、注文者の認証処理を完了する時間を注文者認証完了時間としてタイマに設定して注文者の認証処理を前記移動体通信装置に実行させ、タイマに設定した注文者認証完了時間内に前記移動体通信装置による注文者の認証処理が完了しない場合には、決済の無効を前記移動体通信装置に通知する認証管理部を有する請求項１に記載されたサービス提供装置。
【請求項６】
前記サービス提供装置は、ＥＭＶ（ＥＵＲＯＰＡＹ、ＭＡＳＴＥＲＣＡＲＤ  ＩＮＴＥＲＮＡＴＩＯＮＡＬ、ＶＩＳＡ  ＩＮＴＥＲＮＡＴＩＯＮＡＬ）仕様プロトコルに基づいて前記移動体通信装置と無線通信する請求項１に記載されたサービス提供装置。
【請求項７】
前記セキュリティ制御部は、ＳＡＭ（ＳＥＣＵＲＥ  ＡＰＰＬＩＣＡＴＩＯＮ  ＭＯＤＵＬＥ）によって構成される請求項１に記載されたサービス提供装置。
【請求項８】
サービスを提供するサービス提供装置へサービスを要求する移動体通信装置であって、
前記サービス提供装置へサービスの注文を要求する注文購入部を有する移動体側注文部と、
前記移動体側注文部が要求したサービスの注文を前記サービス提供装置へ送信する送信部Ｂと、有料道路自動料金収受システム（ＥＴＣ）の決済以外の決済処理に使用可能な媒体を使用して前記送信部Ｂが送信したサービスの注文に対する決済の手続を行うセキュリティ処理部とを有する移動体側通信部とを備える移動体通信装置。
【請求項９】
前記セキュリティ処理部は、さらに、
前記媒体を使用して決済の手続に必要なデータを作成する決済処理部と、
前記決済処理部が作成したデータを暗号化する暗号化部Ｂとを備え、
前記送信部Ｂは、前記暗号化部Ｂが暗号化したデータを送信する請求項８に記載された移動体通信装置。
【請求項１０】
前記移動体側通信部は、さらに、
サービスの注文に対し前記サービス提供装置によって提供されるサービスの内容を前記サービス提供装置から受信する受信部Ｂを有し、
前記移動体側注文部は、さらに、
前記受信部Ｂが受信したサービスの内容を表示する表示部を有し、
前記注文購入部は、前記表示部によって表示されたサービスの内容を確認し、確認したサービスの内容に対する指示を前記サービス提供装置に行う請求項８に記載された移動体通信装置。
【請求項１１】
前記移動体通信装置は、ＥＭＶ（ＥＵＲＯＰＡＹ、ＭＡＳＴＥＲＣＡＲＤ  ＩＮＴＥＲＮＡＴＩＯＮＡＬ、ＶＩＳＡ  ＩＮＴＥＲＮＡＴＩＯＮＡＬ）仕様プロトコルに基づいて前記サービス提供装置と無線通信する請求項８に記載された移動体通信装置。
【請求項１２】
前記セキュリティ処理部は、ＳＡＭ（ＳＥＣＵＲＥ  ＡＰＰＬＩＣＡＴＩＯＮ  ＭＯＤＵＬＥ）によって構成される請求項８に記載された移動体通信装置。
【請求項１３】
サービスを提供するサービス提供装置とサービスを要求する移動体通信装置とを備えた決済システムであって、
前記移動体通信装置は、
前記サービス提供装置へサービスの注文を要求する注文購入部を有する移動体側注文部と、
前記移動体側注文部が要求したサービスの注文をサービス提供装置へ送信する送信部Ｂと、有料道路自動料金収受システム（ＥＴＣ）の決済以外の決済処理に使用可能な媒体を使用して前記送信部Ｂが送信したサービスの注文に対する決済の手続を行うセキュリティ処理部とを有する移動体側通信部とを備え、
前記サービス提供装置は、
前記注文購入部から要求されるサービスの注文を受信する受信部Ａと、
前記受信部Ａが受信したサービスの注文に対して前記媒体を使用した決済の手続を前記セキュリティ処理部と連動して行うセキュリティ制御部とを有するサービス提供側通信部を備えた決済システム。
【請求項１４】
前記セキュリティ処理部は、さらに、
前記媒体を使用して決済の手続に必要なデータを作成する決済処理部と、
前記決済処理部が作成したデータを暗号化する暗号化部Ｂとを備え、
前記送信部Ｂは、前記暗号化部Ｂが暗号化したデータを送信し、
前記受信部Ａは、前記送信部Ｂが送信したデータを受信し、
前記セキュリティ制御部は、さらに、
前記受信部Ａが受信したデータを復号する復号部Ａと、
前記復号部Ａが復号したデータを確認する決済制御部と、
前記決済制御部が確認したデータを暗号化する暗号化部Ａと、
前記暗号化部Ａが暗号化したデータを前記移動体通信装置に送信する送信部Ａとを有する請求項１３に記載された決済システム。
【請求項１５】
前記セキュリティ制御部と前記セキュリティ処理部とは、前記媒体としてＩＣクレジットカードを使用してクレジットによる決済の手続を実行する請求項１３に記載された決済システム。
【請求項１６】
前記サービス提供側通信部と前記移動体側通信部とは、有料道路自動料金収受システム（ＥＴＣ）の決済処理と有料道路自動料金収受システム（ＥＴＣ）の決済以外の決済処理とに使用可能な媒体を使用してクレジットによる決済の手続を実行する請求項１３に記載された決済システム。
【請求項１７】
サービスを提供するサービス提供装置とサービスを要求する移動体通信装置とによって決済の手続を行う決済方法であって、
前記移動体通信装置からサービスの注文を要求し、
前記要求したサービスの注文をサービス提供装置へ送信し、
送信したサービスの注文を前記サービス提供装置が受信し、
前記サービス提供装置と前記移動体通信装置とは、有料道路自動料金収受システム（ＥＴＣ）の決済以外の決済処理に使用可能な媒体を使用して前記サービスの注文に対する決済の手続を行う決済方法。
【請求項１８】
サービスを提供するサービス提供装置とサービスを要求する移動体通信装置とによって決済の手続を行う決済プログラムであって、
前記移動体通信装置からサービスの注文を要求する処理と、
前記要求したサービスの注文をサービス提供装置へ送信する処理と、
送信したサービスの注文を前記サービス提供装置が受信する処理と、
前記サービス提供装置と前記移動体通信装置とは、有料道路自動料金収受システム（ＥＴＣ）の決済以外の決済処理に使用可能な媒体を使用して前記サービスの注文に対する決済の手続を行う処理とをコンピュータに実行させる決済プログラム。
【発明の詳細な説明】
【０００１】
【発明の属する技術分野】
本発明は、サービス提供装置がサービスを要求する移動体通信装置にサービスを提供するとともに提供するサービスに対する決済の手続を行う決済システムに関するものである。
【０００２】
【従来の技術】
移動体を用いて、ＤＳＲＣ（ＤＥＤＩＣＡＴＥＤ  ＳＨＯＲＴ  ＲＡＮＧＥ  ＣＯＭＭＵＮＩＣＡＴＩＯＮ：狭域通信）による無線通信（狭域無線通信）を利用して行われる決済システムは、ＩＴＳ（ＩＮＴＥＬＬＩＧＥＮＴ  ＴＲＡＮＳＰＯＲＴ  ＳＹＳＴＥＭＳ：高度道路交通システム）のＥＴＣ（ＥＬＥＣＴＲＯＮＩＣ  ＴＯＬＬ  ＣＯＬＬＥＣＴＩＯＮ  ＳＹＳＴＥＭ：有料道路自動料金収受システム）で実用化されている。このＥＴＣでは、通行車両に搭載した車載器に契約情報などを記録したＥＴＣのみに使用可能なＥＴＣ専用ＩＣカードを挿入し、この車載器と有料道路の料金所ゲートに設置した路側アンテナとの間で無線通信を行うことで通行料金などの情報をＥＴＣ専用ＩＣカードと路側アンテナに接続したコンピュータシステムとの双方に記録し、これにより料金所で料金支払いのために止まることなくノンストップで通行できるようになっている。このＥＴＣにおいて車と道路を双方向通信で結びつけるＤＳＲＣの有効利用が現在注目されている（例えば、特許文献１参照）。
【０００３】
ここで、ＩＴＳ／無線利用決済システムなど、今後利用が進むと予想される移動体通信とのＤＳＲＣによる無線通信を用いた課金決済のシステムにおいては、セキュリティの観点からシステムを利用する本人を確認するための本人認証や顧客情報、決済情報などを安全に通信することが要求される。
【０００４】
【特許文献１】
特開２００１−９９６６０号公報
【０００５】
【発明が解決しようとする課題】
しかし、ＤＳＲＣの無線通信を利用しているＥＴＣは、ＩＣクレジットカードを利用した車載器内で、その場で課金決済するシステムではあるが、ＩＣクレジットカードに対する本人認証（本人確認）は行っていなかった。
また、ＥＴＣに使用されるＩＣクレジットカードはＥＴＣ専用のＩＣカードであり、各国際クレジットブランド発行カードのように汎用性のあるＩＣクレジットカードを使用した自由度の高い決済システムを車載器側とサービス提供側とがＤＳＲＣによる無線通信することによって構築することはできていなかった。
【０００６】
本発明は、汎用性のあるＩＣクレジットカードを使用した決済システムを構築することを目的とする。
【０００７】
【課題を解決するための手段】
本発明に係るサービス提供装置は、移動体通信装置へサービスを提供するサービス提供装置であって、
前記移動体通信装置から要求されるサービスの注文を受信する受信部Ａと、
有料道路自動料金システム（ＥＴＣ）の決済以外の決済処理に使用可能な媒体を使用して前記受信部Ａが受信したサービスの注文に対する決済の手続を行うセキュリティ制御部とを有するサービス提供側通信部を備える。
【０００８】
【発明の実施の形態】
実施の形態１．
実施の形態１では、移動体側（移動体通信装置）とサービス提供側（サービス提供装置）とが、各国際クレジットブランド発行カード会社が発行するＥＭＶ仕様のＩＣクレジットカードを使用して、ＥＭＶ仕様プロトコルに準拠したＤＳＲＣ通信を行い、汎用性のあるＩＣクレジットカードを利用した決済手続を行う決済システムについて説明する。
ここで、各国際クレジットブランド発行カード会社が発行するＥＭＶ仕様のＩＣクレジットカードとは、「ＥＵＲＯＰＡＹ」と「ＭＡＳＴＥＲＣＡＲＤ  ＩＮＴＥＲＮＡＴＩＯＮＡＬ」と「ＶＩＳＡ  ＩＮＴＥＲＮＡＴＩＯＮＡＬ」との間で合意したＩＣクレジットカードの統一規格に準拠した国際的に使用可能な、汎用性のあるＩＣクレジットカードをいう。
ＥＭＶ仕様プロトコルとは、汎用性のあるＩＣクレジットカードによる決済プロトコルの一例である。すなわち、ＥＭＶ仕様プロトコルとは、「ＥＵＲＯＰＡＹ」と「ＭＡＳＴＥＲＣＡＲＤ  ＩＮＴＥＲＮＡＴＩＯＮＡＬ」と「ＶＩＳＡ  ＩＮＴＥＲＮＡＴＩＯＮＡＬ」との間で合意したＩＣクレジットカードの統一規格によって定められたＤＳＲＣ通信を使用したプロトコルをいう。
本実施の形態では、移動体側とサービス提供側とを接続するＤＳＲＣ通信（狭域無線通信）において上記ＥＭＶ仕様プロトコルによる無線通信とともに、ＩＰ（ＩＮＴＥＲＮＥＴ  ＰＲＯＴＯＣＯＬ）に準拠したインターネット通信も行うことができる。
【０００９】
以下、実施の形態１について説明する。
図１は、サービスを提供するサービス提供装置２００とサービスを要求する移動体通信装置３００とを備えた決済システム１００の全体構成図である。本実施の形態では、決済システム１００の一例としてガソリンスタンドでガソリンの自動決済を行う決済システムについて説明する。
決済システム１００は、サービスを提供する店舗２内に存在するサーバ２０と接続され、サーバ２０はＬＡＮ（ＬＯＣＡＬ  ＡＲＥＡ  ＮＥＴＷＯＲＫ）、ＷＡＮ（ＷＩＤＥ  ＡＲＥＡ  ＮＥＴＷＯＲＫ）等の公衆ネットワーク３を経由してクレジット会社４と接続されている。
【００１０】
サービス提供装置２００は、ＤＳＲＣによる無線通信によって、移動体通信装置３００と通信するサービス提供側通信部２２と移動体通信装置３００から注文されたサービスを実行するサービス処理部２１とを備える。本実施の形態では、注文されたサービスとして、「ガソリンを給油する」というサービスを挙げて説明する。
サービス処理部２１は、注文されたガソリンの給油サービスをサーバ２０に要求し、サーバ２０に接続された給油機２３によって、給油サービスが実行された結果、車輌１に「ガソリン」という商品が供給される。
【００１１】
移動体通信装置３００は車輌１に搭載されており、一例としては車載器が挙げられる。車輌１は移動が可能な移動体機器の一例である。移動体通信装置３００は、サービス提供装置２００へサービスの注文を要求する移動体側注文部１１とＩＣクレジットカード１２を使用してクレジット決済を行う移動体側通信部１０とを備え、ＤＳＲＣによる無線通信によってサービス提供装置２００と接続される。
ここで、ＩＣクレジットカード１２とは、有料道路自動料金システム（ＥＴＣ）の決済以外の決済処理に使用可能な媒体の一例であり、ＩＣクレジットカード１２を識別するためのカード識別番号や顧客の個人情報などの媒体情報を記憶している。
サービス提供装置２００のサービス提供側通信部２２と移動体通信装置３００の移動体側通信部１０とは、アンテナ２２４とアンテナ１０５によって電波を送受信して無線通信を実現する。
【００１２】
サービス提供装置２００のサービス提供側通信部２２と移動体通信装置３００の移動体側通信部１０の内部構造について説明する。
図２は、サービス提供側通信部２２と移動体側通信部１０の内部構造を示す図である。
サービス提供側通信部２２と移動体側通信部１０とは、サービスの注文とサービスの提供に際し、インターネットプロトコル（ＩＰ）による無線通信を行う。また、サービス提供側通信部２２と移動体側通信部１０とは、ＩＣクレジットカード１２による決済の手続に際し、汎用クレジット決済プロトコル（ＥＭＶ仕様プロトコル）に準拠した無線通信によって決済の手続に必要なデータのやりとりを行ない、決済手続を完了する。
【００１３】
サービス提供側通信部２２は、移動体側通信部１０へデータを送信する送信部Ａ２２１と、移動体側通信部１０からのデータを受信する受信部Ａ２２０と、移動体側通信部１０のセキュリティ処理部１０３と連動してクレジット決済の手続を行うセキュリティ制御部２２３と、サーバ２０とサービス処理部２１とのインタフェースとなるＩＦ部２２２とから構成される。
【００１４】
移動体側通信部１０は、サービス提供側通信部２２へ情報を送信する送信部Ｂ１１０と、サービス提供側通信部２２からの情報を受信する受信部Ｂ１０１と、ＩＣクレジットカード１２によるクレジット決済の手続を行うセキュリティ処理部１０３と、暗証番号（ＰＩＮ：ＰＥＲＳＯＮＡＬ  ＩＤＥＮＴＩＦＩＣＡＴＩＯＮ  ＮＵＭＢＥＲ）を注文者に入力させるＰＩＮ入力部１０６と、ＩＣクレジットカード１２に接続され、ＩＣクレジットカード１２に記憶された媒体情報を読み込むカードリーダ部１０４と、移動体側注文部１１からの注文を入力し、注文に対する情報を移動体側注文部１１へ出力する入出力部１０２とから構成される。ＰＩＮ入力部１０６によって入力されるＰＩＮは注文者の識別情報の一例である。
【００１５】
次に、移動体通信装置３００の移動体側注文部１１について説明する。
図３は、移動体側注文部１１の内部構成図である。
移動体側注文部１１は、サービスの注文を要求する注文購入部１１３と、注文したサービスの内容を表示する表示部１１２と、移動体側通信部１０とのインタフェースとなるＩＦ部１１１とから構成される。
表示部１１２では、ガソリン自動決済に必要な情報を車輌１の画面等に表示することによって車輌１内のサービス注文者がガソリン自動決済に必要な情報を確認することができる。
移動体側注文部１１を実装する装置の一例としては、移動体側通信部１０に接続できるカーナビやモバイル機器（携帯電話機器、携帯型情報端末（ＰＤＡ）、ノートパソコンなどのパーソナルコンピュータ）が挙げられる。モバイル機器は、例えば、赤外線を利用して移動体側通信部１０と接続することも可能である。
【００１６】
次に、サービス提供装置２００のサービス処理部２１について説明する。
図４は、サービス処理部２１の内部構成図である。
サービス処理部２１は、サービス提供側通信部２２とのインタフェース機能を有するＩＦ部２１１と、ＩＦ部２１１を介してサービス提供側通信部２２との間でデータの入出力を行う入出力部２１４と、移動体通信装置３００から要求される注文に対し、、移動体通信装置３００へサービスを提供する注文処理部２１２と、注文処理部２１２が提供したサービスに対する料金を計算する料金処理部２１３と、注文処理部２１２がサービスを提供するのに際し、提供するサービスの内容を移動体通信装置３００に確認させることによってサービスの注文に対する進捗を管理する進捗管理部２１５と、提供するサービスの内容を表示する表示部２１６とから構成される。
表示部２１６では、ガソリン自動決済に必要な情報を店舗２内の画面等に表示することによって店舗２内の従業員がガソリン自動決済に必要な情報を確認することができる。
【００１７】
次に、サーバ２０について説明する。
図５は、サーバ２０の内部構成図である。
サーバ２０は、サービス処理部２１とサービス提供側通信部２２とのインタフェースとなるＩＦ部２０３と、給油機２３とのインタフェースとなるＩＦ部２０４と、ＩＦ部２０３を介してサービス処理部２１からサービスの実行の指示を受けて、ＩＦ部２０４を介して接続された給油機２３を使用して、注文されたサービス「ガソリンの給油」を実行する給油処理部２０２と、給油処理部２０２によってなされたサービスに対する決済処理をクレジット会社４に依頼する決済処理部２０５と、決済処理部２０５によって依頼された決済処理を公衆ネットワーク３を介して接続されたクレジット会社４に通知する通信部２０１とから構成される。
【００１８】
次に、本実施の形態の決済システム１００が行うガソリン自動決済におけるサービスの注文から決済の手続の完了までの動作について説明する。
図６は、決済システム１００がガソリン自動決済のために実行する動作を示すフローチャートである。
図７，図８は、サービスの注文から決済の手続の完了までの間に表示される移動体側（移動体側注文部１１の表示部１１２）の画面とサービス提供側（サービス処理部２１の表示部２１６）の画面を時系列的に示した図である。
【００１９】
まず、車輌１がガソリンスタンドの給油機Ａ前に到着すると、移動体側注文部１１の注文購入部１１３は、移動体側注文部１１の表示部１１２が表示したサービス注文画面を用いてサービスの注文（ガソリンの給油サービス）を行う（図６・Ｓ１０１（１））。
図７のＳ１０１に、移動体側注文部１１の表示部１１２が表示したサービス注文画面の一例を示す。例えば、車輌１中のカーナビの表示画面が一例として想定される。画面上の「給油しますか？」の問いに車輌１に乗車しているサービスを注文する注文者が「ＹＥＳ」を選択すると、注文購入部１１３がこれに対応して上記サービスの注文を要求する。
移動体側注文部１１の注文購入部１１３によるサービスの注文を受けて、移動体側通信部１０の送信部Ｂ１１０はサービスの注文を車輌１に関する情報を含んだ注文情報とともにサービス提供側通信部２２に送信する。
【００２０】
サービス提供側通信部２２の受信部Ａ２２０は、車輌１に関する情報を含んだ注文情報とともにサービスの注文を受信し（注文受付）、サービス処理部２１の表示部２１６は、受信した注文情報を注文受付画面に表示する（図６・Ｓ２０１（２））。
図７のＳ２０１（ａ）は、サービス処理部２１の表示部２１６が表示した注文受付画面の一例を示す。
【００２１】
次に、サービス処理部２１の注文処理部２１２は、注文されたサービス、つまり、ガソリンの給油を開始する（図６・Ｓ２０１（２））。具体的には、サービス処理部２１は、注文内容の確定後、注文に対するサービスの実行をサーバ２０に指示し、サーバ２０の給油処理部２０２は、この指示を受けて、給油機２３によってガソリンの給油を実行する。
【００２２】
図７のＳ１０２は、移動体側注文部１１の表示部１１２が表示した油種とガソリンの数量を確認する、油種・数量確認画面の一例を示す。車輌１内の注文者が、レギュラー満タンを「ＯＫ」する。これで、注文が確定したので、サービス処理部２１の表示部２１６は図７のＳ２０１（ｂ）に示す注文確定画面を表示する。店舗２内の従業員が「給油許可」を選択することによって、サーバ２０を介して給油機２３に給油許可が送信され、これを受けて、給油機２３によるガソリンの給油が実行される。
【００２３】
図８のＳ２０１（ｃ）は、サービス処理部２１の表示部２１６が表示した給油中を表示する給油中画面である。
図８のＳ１０３は、給油中、移動体側注文部１１の表示部１１２が表示した広告である。
【００２４】
次に、給油完了時の動作について説明する。
図８のＳ２０２は、サービス処理部２１の表示部２１６が表示した給油完了を表示する給油完了画面である。
給油完了後、サービス処理部２１の料金処理部２１３は、サービスに対する料金（商品購入金額：例、ガソリン代）を計算する。この結果は、サービス処理部２１の表示部２１６と移動体側注文部１１の表示部１１２とに表示される（図６・Ｓ２０１（３））。具体的には、図８のＳ２０２に示すように給油完了画面に購入商品として実績「５４．０」Ｌ（リットル）が表示され、商品購入金額として売上「５，５６６」円が表示され、図８のＳ１０４に示すように、御利用明細として「レギュラー５４Ｌ  計５，５６６円」が表示される。
【００２５】
これに対し、移動体側注文部１１の注文購入部１１３は、図８のＳ１０４に示す表示部１１２による表示からガソリンの数量（購入商品）と料金を確認し、「ＯＫ」を選択することによって、料金の確認メッセージをサービス提供装置２００に通知する（図６・Ｓ１０４（４））。
サービス処理部２１の表示部２１６では、料金の確認メッセージを受けて、決済中を示す決済中表示画面を表示する（図６・Ｓ２０２（５））。図８のＳ２０２は、サービス処理部２１の表示部２１６が表示した決済中表示画面である。
前述した料金の確認メッセージの通知に対応して、サーバ２０は、サービス提供側通信部２２にＩＣクレジットカード決済に対応したセキュリティ処理を要求する（図６・Ｓ２０２（５））。
【００２６】
サーバ２０によるＩＣクレジットカード決済対応セキュリティ処理の要求に対し、セキュリティ制御部２２３とセキュリティ処理部１０３が起動され、セキュリティ制御部２２３とセキュリティ処理部１０３との間で連動して、ＩＣクレジットカード決済の手続（セキュリティ処理（カード認証、注文者認証、端末リスク管理等）を含む）が実行される（図６・Ｓ２０３（６））。
注文者認証では、セキュリティ処理部１０３が、注文者を識別する識別情報の一例である暗証番号（ＰＩＮ）を注文者に入力させる。図８のＳ２０３は、サービス処理部２１の表示部２１６が表示した暗証番号（ＰＩＮ）入力画面である。その他、具体的な決済手続については後述する。
【００２７】
セキュリティ制御部２２３とセキュリティ処理部１０３とによる実行されたＩＣクレジットカード決済対応セキュリティ処理の結果、購買取引成立の可否はサービス処理部２１の表示部２１６と移動体側注文部１１の表示部１１２とによって表示される（図６・Ｓ２０４（７））。
購買取引成立可否のメッセージは、移動体側注文部１１の表示部１１２が購買取引成立の可否を表示することによって、サービス提供装置２００から移動体通信装置３００へ通知され、注文購入部１１３によって確認される（図６・Ｓ１０５（８））。
また、購買取引が成立した場合には、サービス処理部２１の進捗管理部２１５はサーバ２０にクレジット会社４への売上の登録を要求し、サーバ２０は公衆ネットワーク３を経由してクレジット会社４に売上の登録を通知する（図６・Ｓ２０５（９））。
【００２８】
以上の動作では、セキュリティ処理部１０３の受信部Ｂ１０１が、サービス提供装置２００によって提供されるサービスの内容を受信し、移動体側注文部１１の表示部１１２は、受信部Ｂ１０１が受信したサービスの内容を表示し、注文購入部１１３は表示部１１２によって表示されたサービスの内容を確認し、前記サービス提供装置へ表示されたサービスの内容に対する指示を行うことにより、リアルタイム、かつ、ビジュアルに処理を行なうことができる。
【００２９】
次に、図６のＳ２０３に示したＩＣクレジットカード決済対応セキュリティ処理について詳細を説明する。
図９は、ＩＣクレジットカード決済対応セキュリティ処理を実行する移動体側通信部１０内のセキュリティ処理部１０３とサービス提供側通信部２２内のセキュリティ制御部２２３の内部構成を示す図である。
セキュリティ処理部１０３とセキュリティ制御部２２３とは、汎用クレジット決済プロトコルであるＥＭＶ仕様プロトコルに準拠してＤＳＲＣ無線通信により決済の手続を連動して行うＥＭＶレベル１処理部１０３１とＥＭＶレベル２制御部２２３１とを有する。ＥＭＶレベル１処理部１０３１はＩＣクレジットカード１２等の媒体を使用して決済の手続に必要なデータを作成する決済処理部の一例である。また、ＥＭＶレベル２制御部２２３１は、ＥＭＶレベル１処理部１０によって作成された、決済の手続に必要なデータを確認する決済制御部の一例である。
また、セキュリティ処理部１０３とセキュリティ制御部２２３とは、ＥＭＶレベル１処理部１０３１とＥＭＶレベル２制御部２２３１とが決済の手続を連動して行う時のセキュリティを担保するために、ＥＭＶレベル１処理部１０３１とＥＭＶレベル２制御部２２３１とが送信するデータを暗号化する暗号化部Ａ２２３２ａと暗号化部Ｂ１０３２ａ、及び、受信するデータを復号する復号部Ａ２２３２ｂと復号部Ｂ１０３２ｂとを有する。セキュリティ処理部１０３とセキュリティ制御部２２３とが有する他の構成については前述したので、説明を省略する。
【００３０】
次に、ＥＭＶ仕様プロトコルに準拠したセキュリティ処理部１０３が行うＩＣクレジットカードを使用した決済の手続のシーケンスについて説明する。
図１０は、セキュリティ処理部１０３が行うＩＣクレジット決済の手続のシーケンスを示す図である。
【００３１】
まず、ＥＭＶレベル１処理部１０３１は、カードリーダ部１０４に差し込まれたＩＣクレジットカード１２に記憶され、決済の手続に必要なデータを読み込む（Ｓ３００）。ここで、ＩＣクレジットカード１２は決済の手続に使用する媒体の一例であり、ＩＣメモリスティックやＩＣタグを媒体とすることも可能である。送信部Ｂ１１０は、ＥＭＶレベル１処理部１０３１によって読み込まれたデータをセキュリティ制御部２２３に送信する。
次に、ＥＭＶレベル１処理部１０３１は、送信部Ｂ１１０によるデータの送信に対するセキュリティ制御部２２３からの応答を確認した後、読み込んだデータからカードを認証する（Ｓ３０１）。送信部Ｂ１１０は、ＥＭＶレベル１処理部１０３１によるカードの認証結果をセキュリティ制御部２２３に通知する。
【００３２】
次に、ＥＭＶレベル１処理部１０３１は、送信部Ｂ１１０によるカードの認証の通知に対するセキュリティ制御部２２３からの応答を確認し、さらに、端末のバージョンのチェックをした後（Ｓ３０２）、ＰＩＮを注文者に入力させる。ＰＩＮは、例えば、４桁の暗証番号をいい、サービスを注文した注文者を識別する注文者識別情報の一例である。送信部Ｂ１１０は、ＥＭＶレベル１処理部１０３１が入力させたＰＩＮをセキュリティ制御部２２３に送信する。
ＥＭＶレベル１処理部１０３１は、送信部Ｂ１１０によるＰＩＮの送信に対するセキュリティ制御部２２３からの応答を確認した後、ＩＣクレジットカード１２と連携して入力させたＰＩＮに基づき注文者を認証する（カード会員認証：Ｓ３０３）。送信部Ｂ１１０は、ＥＭＶレベル１処理部１０３１による注文者の認証結果をセキュリティ制御部２２３に通知する。
【００３３】
ＥＭＶレベル１処理部１０３１は、送信部Ｂ１１０による注文者の認証の通知に対するセキュリティ制御部２２３からの応答を確認した後、ネガチェック、フロアリミットチェック、ヴェロシティチェック、ランダムチェックからなる端末リスク管理を行う（Ｓ３０４，Ｓ３０５，Ｓ３０６，Ｓ３０７）。ネガチェックでは、認証した注文者や認証したＩＣクレジットカード１２がブラックリストに載っているかをチェックする。フロアリミットチェックでは、今回の取引金額が予め取り決めされた金額以内かをチェックする。ヴェロシティチェックでは、一定期間内の取引回数が予め取り決めされた回数以内かをチェックする。ランダムチェックでは、端末内に予め設定されたしきい値に基づいてオンライン処理かオフライン処理かを選択する。
【００３４】
以上の処理から、ＥＭＶレベル１処理部１０３１は、ＩＣクレジットカード１２による決済が可能であるかをＩＣクレジットカード１２に問い合わせ（Ｓ３０８）、ＹＥＳの場合には決済処理の実行を決定し、決済の手続を終了する。このように、ＥＭＶレベル１処理部１０３１が決済処理の実行を決定した場合には通常の決済処理が行われる（オフライン処理：Ｓ３０９）。
一方、ＮＯの場合、すなわち、ＩＣクレジットカード１２による決済が不可能である場合かＩＣクレジットカード１２による決済が可能であるかが疑わしい場合にはサーバ２０に対しクレジット会社４へ決済処理が可能か否かの問い合わせを要求し、サーバ２０ははこれを受けてクレジット会社４へ決済処理が可能か否かを問い合わせる（オンライン処理：Ｓ３１０）。
以上のようにして、認証したＩＣクレジットカード１２を使用してセキュリティ処理部１０３はセキュリティ制御部２２３と連動して決済の手続を行う。
【００３５】
次に、セキュリティ処理部１０３のＥＭＶレベル１処理部１０３１とセキュリティ制御部２２３のＥＭＶレベル２制御部２２３１とが連動してＥＭＶ仕様プロトコルに準拠した無線通信を行って決済の手続を遂行する動作を図１１を使用して、詳細に説明する。
まず、サーバ２０からＩＣクレジットカード決済対応セキュリティ処理の要求を受けると（Ｓ５０１）、セキュリティ制御部２２３のＥＭＶレベル２制御部２２３１は、ＥＭＶ仕様プロトコルに準拠してセキュリティ処理部１０３のＥＭＶレベル１処理部１０３１を起動する（Ｓ５０２）。
起動したセキュリティ処理部１０３のＥＭＶレベル１処理部１０３１は（Ｓ４０１）、ＩＣクレジットカード１２のデータを読み込み、暗号化部Ｂ１０３２ａにてデータの暗号化を行い、送信部Ｂ１１０にて暗号化されたデータを送信する（Ｓ４０２）。
【００３６】
受信部Ａ２２０は暗号化されたデータを受信し、復号部Ａ２２３２ｂにて復号し、ＥＭＶレベル２制御部２２３１は、復号したデータを確認した後、送信部Ａ２２１にＥＭＶレベル１処理部１０３１に対する応答を送信させる（Ｓ５０３）。
以下、図１１に示す動作について、ＥＭＶ仕様プロトコルに準拠した無線通信で通信されるすべての情報は、上述したデータの暗号化及び復号と同様にして、暗号化部Ａ２２３２ａ及び暗号化部Ｂ１０３２ａによって暗号化され、復号部Ａ２２３２ｂ及び復号部Ｂ１０３２ｂによって復号される。このことにより、セキュリティが担保された状態でのＤＳＲＣ通信が可能となる。
【００３７】
ＥＭＶレベル１処理部１０３１は、ＥＭＶレベル２制御部２２３１からの応答を確認した後、カードを認証し、送信部Ｂ１１０にカードの認証を通知させる（Ｓ４０３）。
受信部Ａ２２０は、送信部Ｂ１１０が送信したカードの認証の通知を受信し、ＥＭＶレベル２制御部２２３１は、受信部Ａ２２０が受信したカードの認証の通知を受けたことに対し、ＥＭＶレベル１処理部１０３１への応答を送信部Ａ２２１に送信させる（Ｓ５０４）。
【００３８】
ＥＭＶレベル１処理部１０３１は、ＥＭＶレベル２制御部２２３１からの応答を確認した後、サービスを注文した注文者を識別するＰＩＮを注文者に入力させ、送信部Ｂ１１０はＰＩＮを送信する（Ｓ４０５）。
受信部Ａ２２０は、送信部Ｂ１１０が送信したＰＩＮを受信し、ＥＭＶレベル２制御部２２３１は、受信部Ａ２２０が受信したＰＩＮに対する応答を送信部Ａ２２１に送信させる（Ｓ５０６）。
【００３９】
ＥＭＶレベル１処理部１０３は、ＥＭＶレベル２制御部２２３１からの応答を確認した後、ＩＣクレジットカード１２と連携して入力させたＰＩＮに基づき注文者を認証し、送信部Ｂ１１０は、注文者の認証を通知する（Ｓ４０６）。
受信部Ａ２２０は、送信部Ｂ１１０が送信した注文者の認証の通知を受信し、ＥＭＶレベル２制御部２２３１は、受信部Ａ２２０が受信した注文者の認証の通知に対する応答を送信部Ａ２２１に送信させる（Ｓ５０７）。
【００４０】
ＥＭＶレベル１処理部１０３１は、ＥＭＶレベル２制御部２２３１からの応答を確認した後、上述した端末リスク管理（ネガチェックなど）を行い、送信部Ｂ１１０は、端末リスク管理結果を通知する（Ｓ４０７）。
受信部Ａ２２０は、送信部Ｂ１１０が送信した端末リスク管理結果を受信し、ＥＭＶレベル２制御部２２３１は、受信部Ａ２２０が受信した端末リスク管理結果に対する応答を送信部Ａ２２１に送信させる（Ｓ５０８）。
【００４１】
ＥＭＶレベル１処理部１０３１は、ＩＣクレジットカード１２にＩＣクレジットカード１２による決済が可能であるかを問い合わせ（Ｓ４０８）、ＹＥＳの場合にはＩＣクレジットカード１２による決済処理の実行を決定し（Ｓ４０９）、送信部Ｂ１１０は、ＩＣクレジットカード１２による決済処理の実行の決定をＥＭＶレベル２制御部２２３１へ通知する。
受信部Ａ２２０は、送信部Ｂ１１０が送信した決済処理の実行の決定通知を受信し、ＥＭＶレベル２制御部２２３１はサーバ２０を介してクレジット会社４へ購買取引が成立したことを通知する（Ｓ５１０）。
一方、ＮＯの場合、すなわち、カードによる決済が不可能である場合かカードによる決済が可能であるかが疑わしい場合、ＥＭＶレベル１処理部１０３１は、サーバ２０に対しクレジット会社４へ決済処理が可能か否かの問い合わせを要求し、サーバ２０はこれを受けてクレジット会社４へ決済処理が可能か否かを問い合わせる（Ｓ５０９）。
【００４２】
次に、セキュリティ制御部２２３の認証管理部２２３３が行う動作について説明する。
図１２は、認証管理部２２３３の動作を示す図である。
認証管理部２２３３は、ＥＭＶレベル２制御部２２３１から注文者の認証処理の起動通知を受信する（Ｓ６０１）。
この通知を受けて、認証管理部２２３３は、サービスを注文した注文者を認証する注文者の認証処理がＥＭＶレベル１処理部１０３１によって開始されるのに対応して、注文者の認証処理を完了する時間を注文者認証完了時間としてタイマ２２３４に設定して、注文者の認証処理をＥＭＶレベル１処理部１０３１に実行させる（Ｓ６０２）。
【００４３】
タイマ２２３４に設定した注文者認証完了時間内に、ＰＩＮに基づいて注文者の認証処理が完了しない場合（Ｓ６０３）、認証管理部２２３３は、決済の無効を進捗管理部２１５に通知し、これに対応して移動体側注文部１１の表示部１１２とサービス処理部２１の表示部２１６とは、通常の現金支払いを促すメッセージを表示して通報する（Ｓ６０５）。
一方、タイマ２２３４に設定した注文者認証完了時間内であれば、ＥＭＶレベル２制御部２２３１から注文者の認証処理の終了通知がない場合であっても、認証管理部２２３３は、注文者認証完了時間が満了するまで注文者の認証処理の終了通知を待つ（Ｓ６０４）。
このように、認証管理部２２３３がタイマ２２３４によって認証処理の期限管理を行うことにより、決済の手続の迅速化を図ることができる。
【００４４】
以上の実施の形態で説明した、決済の手続においてセキュリティ処理を行うセキュリティ制御部２２３とセキュリティ処理部１０３とは、物理的衝撃に対して耐タンパ性を持つアプリケーションモジュールであるＳＡＭ（ＳＥＣＵＲＥ  ＡＰＰＬＩＣＡＴＩＯＮ  ＭＯＤＵＬＥ）によって構成することが可能である。
また、セキュリティ制御部２２３とセキュリティ処理部１０３とをＬＳＩ化することもできる。
このようにすることで、セキュリティ制御部２２３とセキュリティ処理部１０３とは、外部からのアクセスによる変更が不可または困難になるため、耐タンパ性を高めることができ、より安全性、信頼性の高い決済システム１００を構築することができる。
【００４５】
以上、サービス提供者のサービス提供装置２００と、移動体（車輌１）に配置され、前記サービス提供装置２００と通信を行ってサービスの注文・購入を行う移動体通信装置３００と、を有する決済システム１００であって、前記移動体通信装置３００は、サービスを注文するとともに商品購入金額・購買取引成立を確認する注文購入部１１３と、ＩＣクレジットカード端末アプリケーションを処理するセキュリティ処理部１０３とを有し、前記サービス提供装置２００は、前記移動体通信装置３００からのサービスの注文を受付ける注文処理部２１２と、購買料金を計算する料金処理部２１３と、商品注文から購買取引成立までを管理する進捗管理部２１５と、前記セキュリティ処理部１０３と連動してＩＣクレジットカード端末アプリケーションを処理するセキュリティ制御部２２３とを有することを特徴とする移動体無線を利用した決済システム１００について説明した。
【００４６】
また、前記移動体通信装置３００は、前記の注文購入部１１３と、前記セキュリティ処理部１０３とを有し、前記サービス提供装置２００は、前記注文処理部２１２と、料金処理部２１３と、商品注文から購買取引成立までを管理する進捗管理部２１５と、前記セキュリティ制御部２２３とを有し、前記移動体通信装置３００と前記サービス提供装置２００との間で、サービスの注文から購買取引成立までをリアルタイム、且つビジュアルに管理することを特徴とする移動体無線を利用した決済システム１００について説明した。
【００４７】
また、前記セキュリティ制御部２２３は前記ＩＣクレジットカード端末アプリケーションに係る本人認証（注文者認証）の有効時間（注文者認証完了時間）期限を有し、前記セキュリティ処理部１０３と連動する本人認証処理（注文者認証処理）が有効時間（注文者認証完了時間）期限内に終了しない場合、前記セキュリティ制御部２２３が前記進捗管理部２１５に対してＩＣクレジットカード１２の無効を通知する認証管理部２２３３を有することを特徴とする移動体無線を利用した決済システム１００について説明した。
【００４８】
また、前記セキュリティ制御部２２３は、ＥＭＶ仕様プロトコルに関する送信データに対して暗号化処理を行い、受信データに対して復号処理を行う暗号化部Ａ２２３２ａと復号部Ａ２２３２ｂとを有し、前記セキュリティ処理部１０３は、ＥＭＶ仕様プロトコルに関する送信データに対して暗号化処理を行い、受信データに対して復号処理を行う暗号化部Ｂ１０３２ａと復号部Ｂ１０３２ｂを有することを特徴とする移動体無線を利用した決済システム１００について説明した。
【００４９】
また、前記セキュリティ制御部２２３と前記セキュリティ処理部１０３が連動して、リアルタイムのＩＣクレジットカード端末アプリケーションのオンライン処理機能を有することを特徴とする移動体無線を利用した決済システム１００について説明した。
【００５０】
実施の形態２．
次に、実施の形態２について説明する。
実施の形態１の決済システムでは、ガソリンスタンドにおいてガソリンを給油する場合に、ガソリンの給油に対する汎用ＩＣクレジットカードによる決済の手続を車輌内で行うこと可能とした。
実施の形態２では、実施の形態１で開示した決済システム１００におけるガソリンスタンドをドライブスルー店に置き換え、ドライブスルー店による商品の注文予約と商品の受け渡しに対する決済を車輌内で行うことを可能とした決済システム１００について説明する。
【００５１】
図１３は、ドライブスルー店５と車輌１との間でＩＣクレジットカード１２を使用したカード決済を行う決済システム１００の全体構成図である。
実施の形態１と異なる構成は、ガソリンスタンド（店舗２）をドライブスルー店５に置き換えた点のみであり、他の構成は実施の形態１と同様であるので説明を省略する。
実施の形態２の場合、移動体通信装置３００は、ドライブスルー店５対するサービスの注文として「商品の注文の受け渡し」を予約する。ドライブスルー店５は無線通信を用いて送受信を行い、これに対応して注文された商品の注文者への受け渡しを行い、実施の形態１と同様に、クレジットによる決済の手続に関する処理をサービス提供装置２００と移動体通信装置３００とが連動して行う。
【００５２】
さらに、実施の形態１と実施の形態２とを組み合わせた決済システムも構築することも可能である。この場合、ガソリンスタンドのサーバ２０により公衆ネットワーク３経由でドライブスルー店５のサーバ２０へ注文情報を送信することで実施の形態１と実施の形態２とを組み合わせた決済システムが構築される。
【００５３】
また、上述した決済システム１００は、駐車場の支払いシステムに利用することができる。このように、決済システム１００を駐車場の支払いシステムに利用することによって、人件費を削減でき、迅速な処理が可能となる。
【００５４】
以上、すべての実施の形態の決済システム１００では、汎用性のあるＩＣクレジットカードによるカード決済を行うことができれば、ＥＭＶ仕様プロトコルに準じた通信を行う必要はなく、他のプロトコルによる通信をカード決済に用いてもよい。すなわち、「ＥＵＲＯＰＡＹ」、「ＭＡＳＴＥＲＣＡＲＤ  ＩＮＴＥＲＮＡＴＩＯＮＡＬ」、「ＶＩＳＡ  ＩＮＴＥＲＮＡＴＩＯＮＡＬ」以外の汎用性のあるＩＣクレジットカードを使用して、ＥＭＶ仕様プロトコル以外のプロトコルに準拠したＤＳＲＣ通信により、決済処理を実行しても良い。
また、すべての実施の形態の決済システム１００では、ＥＴＣの決済以外の決済処理とＥＴＣの決済処理とに使用可能な媒体（例えば、ＥＭＶ機能とは別にＥＴＣ機能が付いた汎用決済カード）を使用してクレジットによる決済の手続を実行することも可能である。
【００５５】
また、以上の実施の形態において決済の手続中に行われた注文者認証（本人認証）は、クレジット会社４がカード認証のみを要求している場合には不要とすることができる。
【００５６】
また、以上の実施の形態におけるサービスの供給は、ＩＣクレジットカードによる決済処理の実行が決定されてから行うことも可能である。
【００５７】
以上の実施の形態にかかる発明では今後のＩＣクレジットカードのデファクトスタンダードとなることが予想されているＥＭＶ仕様プロトコルに準拠したＥＭＶ決済方式において、必須な本人認証（注文者認証）を実現し、併せて、決済に絡む顧客情報や決済情報についても無線通信区間において改ざんや偽造されない安全性の高い決済システム１００を構築できる。すなわち、ＩＣクレジットカードに記憶された媒体情報や本人認証情報、個人情報とを安全に通信し、無線通信システムでの購買の際、顧客（車輛１）側におけるＩＣクレジットカードの偽造や不正使用、及び移動体側注文部１１の偽造や不正使用を防止して、安全な情報交換を行える決済システム１００を提供できる。
特に、現在、ＩＣクレジットカードを店舗に持っていく必要があり、店舗内でＩＣクレジットカードの偽造カードを偽造され、偽造カードにより他人によるクレジット決済が行われ、クレジットに対する多額の支払いを要求されるという事件が相次いでいる。本実施の形態の決済システムでは、ＩＣクレジットカードを店舗に持っていく必要がないので、カードの偽造を回避することができる。
【００５８】
また、上記実施の形態によれば、無線通信を利用したサービスの注文から決済に関し、カーナビ等の移動体側注文部１１からのサービスの注文を受け付け、購買における料金を確認し（伝票確認）、ＩＣクレジットカードの本人認証（注文者認証）、ＩＣクレジットカードの個人情報読み込み、クレジット会社４へのオンラインによる問い合わせ、購買取り引き成立可否までの一連の取引情報を安全に通信できるトータルな、無線通信を利用した決済システムを実現することができる。
【００５９】
また、上記実施の形態によれば、進捗管理部２１５によって、無線通信システムでの購買の進捗状況（注文、料金確認、ＩＣカードの本人認証、決済完了等）を把握することができる。
【００６０】
また、上記実施の形態によれば、決済処理に対する特別な専用カードを作る必要がなく、汎用性のあるＩＣカードを使用して決済の手続ができる。
また、車輌内で決済の手続ができるため迅速な処理が可能となり、店舗側の人件費も削減することができる。
【００６１】
図１４は、サービス提供装置２００及び移動体通信装置３００のコンピュータ基本構成図である。
図１４において、プログラムを実行するＣＰＵ５４０は、バス５３８を介してモニタ５４１、キーボード５４２、マウス５４３、通信ポート５４４、磁気ディスク装置５４６等と接続されている。
モニタ５４１は、サービス処理部２１の表示部２１６と移動体側注文部１１の表示部１１２の一例として表されている。
キーボード５４２、マウス５４３は、サービス処理部２１の入出力部２１４と移動体側通信部１０の入出力部１０２とが行うデータの入出力手段の一例である。
磁気ディスク装置５４６には、ＯＳ５４７、プログラム群５４９、ファイル群５５０が記憶されている。ただし、プログラム群５４９、ファイル群５５０が一体となってオブジェクト指向のプログラム群５４９を形成する形態も一実施の形態として考えられる。
【００６２】
セキュリティ処理部１０３が処理するＩＣクレジットカード端末アプリケーションを実行するプログラム群５４９は、ＣＰＵ５４０、ＯＳ５４７により実行される。
上記各実施の形態では、サービス提供装置２００と移動体通信装置３００とは、通信ポート５４４の機能を使用して、インターネットプロトコルやＥＭＶ仕様プロトコルに基づいて互いに無線通信を行う。
【００６３】
以上の実施の形態に記載した「設定する」、「登録する」、「記憶する」、「表示する」という用語は、任意の記録媒体に保存することを意味する。
【００６４】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムを、プログラムを記録したコンピュータ読み取り可能な記録媒体に記憶させることで、プログラムに記録したコンピュータ読み取り可能な記録媒体の実施の形態とすることができる。
【００６５】
プログラムの実施の形態及びプログラムに記録したコンピュータ読み取り可能な記録媒体の実施の形態は、すべてコンピュータで動作可能なプログラムにより構成することができる。
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【００６６】
【発明の効果】
本発明によれば、汎用性のあるＩＣクレジットカードを使用した決済システムを構築することができる。
【図面の簡単な説明】
【図１】実施の形態１の決済システム１００における全体構成図である。
【図２】サービス提供側通信部２２と移動体側通信部１０の内部構造図である。
【図３】移動体側注文部１１の内部構成図である。
【図４】サービス処理部２１の内部構成図である。
【図５】サーバ２０の内部構成図である。
【図６】ガソリン自動決済のフローチャートである。
【図７】移動体側の画面とサービス提供側の画面を示した図である。
【図８】移動体側の画面とサービス提供側の画面を示した図である。
【図９】セキュリティ処理部１０３とセキュリティ制御部２２３の内部構成図である。
【図１０】セキュリティ処理部１０３が行うＩＣクレジット決済の手続のシーケンスを示す図である。
【図１１】ＥＭＶレベル１処理部１０３１とＥＭＶレベル２制御部２２３１とが連動して決済の手続を遂行する動作を示す図である。
【図１２】認証管理部２２３３の動作を示す図である。
【図１３】実施の形態２の決済システム１００における全体構成図である。
【図１４】サービス提供装置２００と移動体通信装置３００のコンピュータ基本構成図である。
【符号の説明】
１  車輌、２  店舗、３  公衆ネットワーク、４  クレジット会社、５  ドライブスルー店、１０  移動体側通信部、１１  移動体側注文部、１２  ＩＣクレジットカード、２０  サーバ、２１  サービス処理部、２２  サービス提供側通信部、２３  給油機、１００  決済システム、１０１  受信部Ｂ、１０２，２１４  入出力部、１０３  セキュリティ処理部、１０４  カードリーダ部、１０５，２２４  アンテナ、１０６  ＰＩＮ入力部、１１０  送信部Ｂ、１１１，２０３，２０４，２１１，２２２  ＩＦ部、１１２，２１６  表示部、１１３  注文購入部、２００  サービス提供装置、２０１  通信部、２０２  給油処理部、２０５  決済処理部、２１２  注文処理部、２１３  料金処理部、２１５  進捗管理部、２２０  受信部Ａ、２２１  送信部Ａ、２２３  セキュリティ制御部、３００  移動体通信装置、５３８  バス、５４０  ＣＰＵ、５４１  モニタ、５４２  キーボード、５４３  マウス、５４４  通信ポート、５４６  磁気ディスク装置、５４７  ＯＳ、５４９  プログラム群、５５０  ファイル群、１０３１  ＥＭＶレベル１処理部、１０３２ａ  暗号化部Ｂ、１０３２ｂ  復号部Ｂ、２２３１  ＥＭＶレベル２制御部、２２３２ａ  暗号化部Ａ、２２３２ｂ  復号部Ａ、２２３３  認証管理部、２２３４  タイマ。
【図１】
2004227055.tif 000003
【図２】
2004227055.tif 000004
【図３】
2004227055.tif 000005
【図４】
2004227055.tif 000006
【図５】
2004227055.tif 000007
【図６】
2004227055.tif 000008
【図７】
2004227055.tif 000009
【図８】
2004227055.tif 000010
【図９】
2004227055.tif 000011
【図１０】
2004227055.tif 000012
【図１１】
2004227055.tif 000013
【図１２】
2004227055.tif 000014
【図１３】
2004227055.tif 000015
【図１４】
2004227055.tif 000016